Podtech/llm-jp-corpus-v4-ja_patent huggingface dataset:
(57)【要約】      （修正有）【課題】〔１〕末期癌の所謂癌痛に対し、麻薬を使用せず抗癌鎮痛の目的を果たし得る医薬品の提供。〔２〕難治性Ｃ型肝炎に対して強力なる免疫力増強作用と抗ウイルス作用、ウイルス抗体値の増強を期待される薬品の提供。〔３〕全身性悪性リュウマチにおいて、リュウマチ因子に対する強力な免疫力増強物質の提供。【解決手段】水１５００ｃｃ、糖分４００グラム〜６００グラム、ペプトン１００グラム〜２００グラム、針葉樹さるのこしかけ３００グラム〜５００グラム混入、２０℃〜３０℃として２０日間〜３０日間培養菌糸胞子の増殖せるものと新陳代謝産物を得る。【選択図】なし【特許請求の範囲】
【請求項１】
水１５００ｃｃ、糖分４００グラム〜６００グラム、ペプトン１００グラム〜２００グラム、針葉樹さるのこしかけ３００グラム〜５００グラム加え、混合液として２０℃〜３０℃として２０日間〜３０日間菌糸胞子の培養を行い、その間の新陳代謝産物を含めた培養液。
【請求項２】
培養中の針葉樹さるのこしかけの菌糸胞子の純粋培養に成功している。即ち針葉樹さるのこしかけ菌糸胞子である。
【請求項３】
請求項（１）（２）にある工程並びに工程中に産出される新陳代謝産物多糖類等の全ての物質。
以上（１）（２）（３）の物質の利用応用は本発明の範囲内に含まれることはいうまでもない。
【発明の詳細な説明】
【技術分野】
【０００１】
【背景技術】
【０００２】菌類、さるのこしかけ等の培養液並びにその新陳代謝産物多糖類は数多の薬品が抗癌剤として認識され使用されている。その効果は末期癌、乾移癌、癌痛に対してはその効果が必ずしも充分とは言い難い。又重症難治性肝炎、悪性リュウマチ疾患にも抗ウイルス剤、免疫力増強剤、鎮痛消炎剤が使用されているが一時的緩解されるが再発悪化は避けられない現状である。充分満足し得る薬品とは言い難い。
【発明の開示】
【発明が解決しようとする課題】
【０００３】副作用の少ない強力な免疫力と免疫力活性化能力ある抗癌剤、抗リユウマチ剤、抗ウイルス剤、免疫力増強剤の開発を課題とした。【０００４】薬品としての抗癌剤、抗ウイルス剤、抗リユウマチ剤、強力なる免疫力増強剤の開発生産工程。
【課題を解決するための手段】
【０００５】水１５００ｃｃ、糖分４００グラム〜６００グラム、ペプトン１００グラム〜２００グラムを混合液として針葉樹さるのこしかけ３００グラム〜５００グラム加え、２０℃〜３０℃として２０日間〜３０日間菌糸胞子の培養を行い、新陳代謝産物を含む培養液を得る。
【発明の効果】
【０００６】本発明の針葉樹さるのこしかけ培養液は、内服使用により、その強力なる免疫力増強作用により末期癌、所謂癌痛に対して著効あり、また悪性全身性リユウマチに対してリユウマチ因子に強力な免疫力増強作用により関節の変形を良転せしめ且つ運動能力の向上を見る。
Ｃ型難治性肝炎に対して強力な免疫力増強作用の為、ウイルス抗体値の上昇と全身状態の改善が認められる。
【発明が実施するための最良の形態】
【０００７】水１５００ｃｃ、糖分４００グラム〜６００グラム、ペプトン１００グラム〜２００グラム、針葉樹さるのこしかけ３００グラム〜５００グラム混入、２０℃〜３０℃とし２０日間〜３０日間菌糸胞子の培養を行い、新陳代謝産物を含む培養液を得る。
【実施例】
【０００８】５５才時、子宮癌手術を受け、１０年後６５才時左上肢左下肢浮腫出現し３０年間に亘り浮腫増大し３５年後９０才時左上肢左下肢の浮腫は右上肢右下肢に比べ約４倍以上に達し、歩行全く不可能となり、また左鼠蹊部肉芽腫の悪性化、左鼠蹊部淋巴腺癌の発症により所謂癌痛が発生した。７２時間激痛の為、全く不眠となり鎮痛消炎剤は全く無効であり麻薬の使用も考えたが、本発明の針葉樹さるのこしかけ培養液を食後２０ｃｃ１日３回服用せしめた。２４時間後激痛緩解し７２時間後激痛消もした。また７日後左上肢左下肢の浮腫も著しく減少し半減した。此れは本発明の針葉樹さるのこしかけ培養液の強力な免疫力増強作用により、悪性化肉芽組織、淋巴腺癌の縮小によると考えられる。
また左上肢左下肢の浮腫の減少半減は、悪性化肉芽組織、左鼠蹊部淋巴腺癌の縮小により左鼠蹊部の血管圧迫が解除され血流が著しく改善され浮腫の減少を見たためと考えられる。抗癌剤としての本発明の培養液の著しい効果があった一例である。【０００９】難治性Ｃ型肝炎患者は発症後著しい全身衰弱と免疫不全症に陥った為インターフェロンの使用を考えたが本発明の針葉樹さるのこしかけ培養液を１日２回食後２０ｃｃ服用し６ケ月後全身状態の著しい改善とＣ型ウイルス抗体の著増を認めた。優れた免疫力増強作用の証明であろう。【００１０】悪性全身性関節リュウマチ患者は、歩行全く困難両側手背関節の変形ありましたが、本発明の針葉樹さるのこしかけ培養液を１日１回食後２０ｃｃ服用せしめ１０ケ月後両側手指の変形良転し且つ５００ｍの歩行可能となった。強力な免疫力増強作用により緩解した一例である。
【産業上の利用の可能性】
【００１１】実施例
【０００８】
【０００９】
【００１０】の優れた強力な免疫力増強作用により、抗癌剤、抗ウイルス剤、抗リュウマチ剤として可能性が充分確認された。
本発明の針葉樹さるのこしかけ培養液による強力な免疫力、賦活作用により末期癌に悪性リュウマチ、Ｃ型肝炎発症時軽快した事は医薬品として画期的な事実といわざるを得ない。また本培養液が注射液の製造も可能であり医薬品製造産業上充分期待に添えるものと信ずる。
(57)【要約】【課題】  本発明は  今現在飼育されているペットのストレス等による健康・衛生面の問題を解決する製品がないに等しい  よって  ペットの為に磁石又はトルマリン若しくは磁気を帯びた物資による保健厚生効果を利用した製品が提供されていない課題があった【解決手段】  ペットに着せる衣類（１）の首・肩・背・腰回りにあたる部位に  磁石又はトルマリン若しくは磁気を帯びた物資（２）を内蔵又は装着又は着脱可能にすることによって課題をを解決した【選択図】  図１
2006254892.tif 000002
【特許請求の範囲】
【請求項１】
帯状・粒状・粉状・ボタン状・塗料状等の様々な形状の磁石又はトルマリン若しくは磁気を帯びた物資を備えた又は着脱可能なペット用健康衣類（１）
【発明の詳細な説明】
【技術分野】
【０００１】  本発明は犬・猫などのペットに着せるだけで  磁石又はトルマリン若しくは磁気を帯びた物資による保健厚生効果を利用したペット用衣類に関するものである
【発明の開示】
【発明が解決しようとする課題】
【０００２】  一般に飼育されている犬や猫なども  人間と同様に環境によるストレス等から健康・衛生面での問題が取り上げられているが  ペットには人間の様なケア対策が無いに等しい  よって  ペットの為に磁石又はトルマリン若しくは磁気を帯びた物資を用いた保健厚生効果を容易に利用できる製品が無いとゆう課題があった
本発明は  これらの問題点を解決しようとするものであり  ペットのストレスを効果的に解消する製品を提供することを目的とするものである
【課題を解決するための手段】
【０００３】  ペットに着せる衣類（１）の首・肩・背・腰回りにあたる部位に  帯状・粒状・粉状・ボタン状・塗料状等の様々な形状の磁石又はトルマリン若しくは磁気を帯びた物資（２）を衣類（１）に  一面又は等間隔に取り付けることによって課題を解決した
【発明の効果】
【０００４】  本発明を使用することにより保健厚生効果を容易に利用でき  ペットのストレス等が無くなり  健康・衛生面が改善できる
【発明を実施するための最良の形態】
【０００５】  以下  本発明の実施の形態を説明する
帯状・粒状・粉状・ボタン状・塗料状等の様々な形状の磁石又はトルマリン若しくは磁気を帯びた物資（２）を  ペットに着せる衣類（１）の首・肩・背・腰回りにあたる部位に一面又は等間隔に配置し  内蔵又は装着又は着脱可能にする
本発明は以上の構成よりなる
本発明の使用方法は  磁石又はトルマリン若しくは磁気を帯びた物資（２）を内蔵又は装着又は着脱式にしたペットの衣類（１）を着せるだけで容易に使用できる
【図面の簡単な説明】
【図１】  本発明の側面図
【図２】  図１におけるＡ−Ａ線断面図
【図３】  Ａ−Ａ線断面図のＡ１拡大図
【図４】  磁石又はトルマリン若しくは磁気を帯びた物資（２）の取付例
【符号の説明】
衣類（１）  磁石又はトルマリン若しくは磁気を帯びた物資（２）
【図１】
2006254892.tif 000003
【図２】
2006254892.tif 000004
【図３】
2006254892.tif 000005
【図４】
2006254892.tif 000006
(57)【要約】【課題】  エンドブラケットにグリース溜め設けた構造を有し、廃グリースによるグリース溜めの目詰まりを防止し、廃グリースの排出を容易とするとともに、廃グリース量を外部から容易に確認することができるようにする。【解決手段】  軸受部にグリースを供給するようにしたエンドブラケット１０を有する回転電機であって、エンドブラケット１０の内部に設けた軸受空間の底部からエンドブラケットの外周方向左右に傾斜を持って延びる廃グリース溜め１４を設け、廃グリース溜めの開口部を透明な部分を有する塞ぎ板からなる蓋部１５で塞いだ。【選択図】        図２
2006254606.tif 000002
【特許請求の範囲】
【請求項１】
軸受部にグリースを供給するようにしたエンドブラケットを有する回転電機であって、
エンドブラケットの内部に設けた軸受空間の底部からエンドブラケットの外周方向左右に延びる廃グリース溜め部を設け、廃グリース溜め部の開口部を蓋部で塞いだことを特徴とする廃グリース溜めを有する回転電機。
【請求項２】
廃グリース溜めを排出口に向かって下る傾斜を持たせたことを特徴とする請求項１記載の廃グリース溜めを有する回転電機。
【請求項３】
前記蓋部を透明な部分を有する塞ぎ板で構成したことを特徴とする請求項１記載の廃グリース溜めを有する回転電機。
【発明の詳細な説明】
【技術分野】
【０００１】
本発明は、グリース排出構造を備えた回転電機のグリース溜め方式の構造に関するものである。
【背景技術】
【０００２】
電動機などの回転電機の軸受における廃グリースの排出方法は、自然落下方式かブラケット部分や受け皿に一時的に廃グリースを溜める構造が一般的である（例えば、特許文面１参照）。従来の自然落下方式では、図４に示すように、グリースニップル１１から注入されたグリースは、エンドブラケット１０の内部に設けたグリース注入路１２を通り、軸受内カバー３１、軸受３０、軸受外カバー３２からなる軸受空間１３内に供給され、廃グリースは軸受外カバー３２の下部に設けたグリース排出口部１９から排出される構造となっている。軸４０は、軸受３０を介してエンドブラケット１０に回転可能に支持されている。
【特許文献１】特開２００４−５０２８５号公報
【発明の開示】
【発明が解決しようとする課題】
【０００３】
上記のように回転電機における廃グリースの排出方法は、自然落下方式または、グリース溜め方式であるが、自然落下方式では廃グリースが垂れ出てしまい、設置場所の環境を悪くするという問題がある。また、従来のグリース溜め方式では、外部からグリース溜め内の廃グリースの量を確認することができず、グリースの詰め過ぎによる電動機内部への侵入、グリース溜め部からの漏れ等が懸念される。また、グリース溜め部の形状が真横にストレートであるため、排グリースが軸受下部に溜まり、目詰まりを発生させていた。
【０００４】
本発明は、エンドブラケットにグリース溜め設けた構造を有し、廃グリースによるグリース溜めの目詰まりを防止し、廃グリースの排出を容易とするとともに、廃グリース量を外部から容易に確認することができるようにした回転電機を提供することを目的とする。
【課題を解決するための手段】
【０００５】
上記課題を解決するために、本発明は、軸受部にグリースを供給するようにしたエンドブラケットを有する回転電機であって、エンドブラケットの内部に設けた軸受空間の底部からエンドブラケットの外周方向左右に延びる廃グリース溜め部を設け、廃グリース溜め部の開口部を蓋部で塞いだ。さらに、前記廃グリース溜めを排出口に向かって下る傾斜を持たせた。また、前記蓋部を透明な部分を有する塞ぎ板で構成した。
【発明の効果】
【０００６】
グリース溜め部に傾斜を持たせることによる廃グリースによる目詰まり防止、排出作業の作業性向上、排出口部に透明板を用いた点検窓の採用による廃グリース量の確認が可能となる。
【発明を実施するための最良の形態】
【０００７】
以下、図１〜図３を用いて、本発明にかかる廃グリース溜めを有する回転電機の構造を説明する。図１は廃グリ−ス溜めを有する回転電機のエンドブラケットの断面形状を示し、図２は、図１に示したエンドブラケットの正面図およびその一部側面図である。図１は図２のＡ−Ａ線での断面を示している。図３は、蓋部１５の詳細な構造を説明する断面図および側面図である。
【０００８】
エンドブラケット１０の頂部に設けたグリースニップル１１と、グリースニップル１１から中心部に設けた軸受空間１３に通じるグリース注入路１２と、軸受空間の底部からエンドブラケット１０の周囲に向けて斜め横下方向に左右に延びて形成された廃グリース溜め部１４と廃グリース溜め部１４の開口を塞ぐ蓋部１５とから構成される。軸受空間１３は、軸４０に固定された軸受３０を内部に配置し、軸受外カバー３２と軸受内カバー３１とで構成される。廃グリース溜め１４は、エンドブラケット中を軸受空間１３の底部から左右に外側下方に向かって傾斜して形成される。廃グリース溜め１４の開口は、蓋部１５によって塞がれる。
【０００９】
図３に示すように、蓋部１５は、当板１５１および透明塞板１５２とが、ボルト１６によって廃グリース溜め１４の開口面に固定されている。当板１５１の中央部には内部が見える覗穴１５１−１が設けられ、当板１５１と廃グリース溜め１４の周囲との間にはパッキン１５３が、当板１５１と透明塞板１５２との間にはパッキン１５４が介在して、廃グリースの漏れを阻止している。
【００１０】
廃グリースは、軸受空間１３の底部から廃グリース溜め１４内に目詰まりすることなく流れ込み、外に漏れることなく溜められる。廃グリース溜め１４に溜められた廃グリースの量は、蓋部１５の覗窓１５１−１を介して監視することができる。透明塞板１５２に廃グリース溜め１４内の廃グリースを溜める許容量などを示す線を刻むことによって、廃グリースの排出時期などを容易に知ることができる。ボルト１６を外して蓋部１５を取り外すことによって、廃グリースを排出する。
【００１１】
以上のように、本発明によれば、エンドブラケットにグリース溜め設けた構造を有し、廃グリースによるグリース溜めの目詰まりを防止し、廃グリースの排出を容易とするとともに、廃グリース量を外部から容易に確認することができるようにした回転電機を得ることができる。
【図面の簡単な説明】
【００１２】
【図１】本発明にかかるグリース排出構造を有するエンドブラケットの断面図。
【図２】発明にかかるグリース排出構造を有するエンドブラケットの正面図およびその一部の側面図。
【図３】廃グリース排出部の構造を説明する図。
【図４】従来の自然落下方式のグリース排出部の構造を説明する断面図。
【符号の説明】
【００１３】
１０：エンドブラケット、１１：グリースニップル、１２：グリース注入路、１３：軸受空間、１４：廃グリース溜め、１５：蓋部、１６：ボルト、１９：廃グリース排出口、３０：軸受、３１：軸受内カバー、３２：軸受外カバー、１５１：当板、１５２：透明塞板、１５１−１：覗穴、１５３，１５４：パッキン
【図１】
2006254606.tif 000003
【図２】
2006254606.tif 000004
【図３】
2006254606.tif 000005
【図４】
2006254606.tif 000006
(57)【要約】【課題】本発明は、給電設備を備える電子機器に対して非接触にて必要充分な電力を供給する給電設備を提供することを課題とする。【解決手段】一般無線通信設備において、給電に特化した無線設備と、これに対応する受信設備を持つ機器に対して非接触により電力を供給することを特徴とする。【選択図】図１
2006254679.tif 000002
【特許請求の範囲】
【請求項１】
一般無線通信設備において、非接触にて電力のみ供給することを特徴とする給電ステーション。
【請求項２】
一般無線通信設備において、長距離且つ広範囲に電力供給することを特徴とする請求項１の給電ステーション。
【請求項３】
一般無線通信設備において、給電に特化した無線設備と、これに対応する受信設備を持つ機器に対して非接触により電力を供給することを特徴とする請求項１の給電ステーション。
【発明の詳細な説明】
【技術分野】
【０００１】本発明は、無線設備応用の給電に関する。
【背景技術】
【０００２】従来から電子機器等の装置への電源供給は当然の事実である。しかし、親機、子機に分かれるような無線通信設備においては有線による電力供給は非常に不便なものである。このため子機には電池もしくは充電可能な２次電池などを実装し無線形態を実現していた。【０００３】しかしながら電池使用では、一定の電力を消費するたびに電池交換もしくは充電を行なう必要があり時間の制約が付きまとうものである。【０００４】一方では子機側の消費電力の省電力化を推進し使用時間を延ばす努力がなされているが根本的な解決には至っていない。【０００５】また、ＲＦＩＤなどに代表される無線通信機器、パッシブタイプに分類される装置等では近距離の非接触による電力供給が実現されている。しかし、機器等の物理的な大きさに様々な制限が加わるなどの理由から無線通信設備の小規模化が優先され通信用の電波を共用して電力供給を行なうことが必然とされており、このため満足な電力供給を行なえていない。
【発明の開示】
【発明が解決しようとする課題】
【０００６】本発明は、このような電子機器に対して非接触にて必要充分な電力を供給する給電設備を提供することにある。
【課題を解決するための手段】
【０００７】一般無線通信設備において、非接触にて電力のみ供給することを特徴とする。【０００８】一般無線通信設備において、長距離且つ広範囲に電力供給することを特徴とする。【０００９】一般無線通信設備において、給電に特化した無線設備と、これに対応する受信設備を持つ機器に対して非接触により電力を供給することを特徴とする。
【発明の効果】
【００１０】本発明により、電力供給に特化した給電設備を用いれば通信と電力供給の独立が成され、通信周波数の制約に依存する事無く安定した電力供給が可能となる。
また通信が電力供給と独立することにより通信自体の電力供給に依存する通信距離や通信品質の問題が改善する。【００１１】無線設備である親機と電力給電の機能を分離することにより、親機についても小規模化が期待できるものである。【００１２】子機側についても、電力供給用の受信設備を備えるだけで電力供給が可能となり、電池もしくは２次電池等の蓄電設備を実装する必要が無くなり、且つこれらにかかるメンテナンス等の付帯作業が著しく軽減する。
【発明を実施するための最良の形態】
【００１３】本発明の実施の形態を図１を持って説明する。【００１４】主電源１より給電ステーションの電力を得る。電力送信制御部２により必要電力を持つ送信電波に電力を変換し、電力送信用アンテナ３より送信する。尚、主電源１はＡＣ１００Ｖなどの交流電源とする。【００１５】本発明の給電ステーションは非接触による電力を供給することを目的とした給電装置であり、使用する電波周波数を限定するものではない。
【実施例】
【００１６】先述構成による給電ステーションは、単体では給電装置として機能するだけである。従って運用に際しては、電力を受信する電子機器と組み合わせて使用するものである。【００１７】本発明の給電ステーションを広範囲に適用する場合においては、無線出力の適用範囲に応じて複数設置する。
【図面の簡単な説明】
【００１８】
【図１】本発明の給電ステーションの構成図
【符号の説明】
【００１９】１  主電源
２  電力送信制御部
３  電力送信用アンテナ
４  電源ケーブル
５  配線
【図１】
2006254679.tif 000003
(57)【要約】【課題】アクティブタグでは電池の交換および二次電池使用の場合は充電にかかる手間があり一次電池では購入コストが問題となり、パッシブタグにおいては、質問器の設置台数の増加と通信距離の問題があげられる。【解決手段】応答器には電気二十層コンデンサ等のキャパシタを用い応答器には電波給電用の仕組みと給電用電波の受信アンテナを実装する。充電ボックス１のユーザ扉３から使用済みの応答器が投函されると、誘導板２により充電回路９のついた充電用スロープ５へ応答器が誘導され充電が開始され、充電を終えると充電用スロープ５より落下し、充電ボックス下部へ溜まる。応答器が連続で投函された場合は、回収扉開閉センサ１の感知状況に合わせて充電の一時中止や再開を行なう。【選択図】図３
2006254678.tif 000002
【特許請求の範囲】
【請求項１】
応答器に実装したキャパシタ等の一時的な電源供給部に対する充電機能を備えることを特徴とする応答器回収用充電ボックス
【請求項２】
電波放射を防ぐためのスイッチセンサ付きの扉とスイッチセンサの状態によって電波給電の制御を行なう機能を備えることを特徴とする応答器回収用充電ボックス
【請求項３】
電波給電にかかる時間を確保するためのスロープ上の仕組みと、その仕組みに誘導するための機構的な構造を備えることを特徴とする応答器回収用充電ボックス
【発明の詳細な説明】
【技術分野】
【０００１】本件の発明は、ＲＦＩＤシステム（以下、ＲＦＩＤと言う）に於ける応答器の電源装備と電力再生方法に関するものである。
【背景技術】
【０００２】ＲＦＩＤに於ける応答器は電池等の蓄電デバイスを実装したアクティブタグと蓄電デバイスを持たないパッシブタグとに大別される。
アクティブタグについては、その通信距離については充分な確保が可能で且つプロセッサ等の実装も行なうなど、高機能なアプリケーションを構築することが可能なものまで存在する。しかし、これらのアプリケーションが電池等の蓄電デバイスを消費し、その交換サイクルを早めており、メンテナンス面において多大なコストをユーザに強いていることは言うまでも無い。【０００３】一方、パッシブタグについては、恒常的な蓄電デバイスを持たず従って通信距離はアクティブタグに及ばない。また、質問器等のリーダーと言われる装置側の送信出力と質問器自体の設置台数を増やすことで通信距離の不利をカバーすることとなる。すなわち、この２種類のタグにおいては、電力確保について問題点を持っていることは周知の事実である。
【発明の開示】
【発明が解決しようとする課題】
【０００４】先述したとおり、現在のＲＦＩＤシステムにおいて、アクティブタグでは電池の交換および二次電池使用の場合は充電にかかる手間があり一次電池では購入コストが問題となる。
パッシブタグにおいては、質問器の設置台数の増加と通信距離の問題があげられる。
本件の発明は、これらの問題を解決するものである。
【課題を解決するための手段】
【０００５】応答器に実装したキャパシタ等の一時的な電源供給部に対する充電機能を備えることを特徴とする。【０００６】また、電波放射を防ぐためのスイッチセンサ付きの扉とスイッチセンサの状態によって電波給電の制御を行なう機能を備えることを特徴とする。【０００７】また、電波給電にかかる時間を確保するためのスロープ上の仕組みと、その仕組みに誘導するための機構的な構造を備えることを特徴とする。
【発明の効果】
【０００８】キャパシタ等の蓄電機能を応答器に実装することにより、応答器の通信距離は飛躍的な改善が可能となる。【０００９】また、電池交換にかかるコストが削除出来、かつ、電池交換作業や充電作業にかかる作業時間が大幅に改善される。これは、充電ボックスから応答器を回収したときには既に充電が完了しているからに他ならない。
【発明を実施するための最良の形態】
【００１０】応答器には電池の変わりに電気二十層コンデンサ等のキャパシタを備えることが必要である。但し、これは機能的に比較的高容量の蓄電を意味するもので必ずしも限定するものではない。また、応答器にも電波給電用の仕組みと給電用電波の受信アンテナが実装されることを必要とする。【００１１】以下、図面を参照して本発明の一実施例を詳細に説明する。【００１２】図１と図２は、本発明の充電ボックスの斜視図である。
充電ボックス１には、ユーザ扉３を備え、その対面に回収扉７を備える。使用されたＩＤタグは、ユーザ扉３より投函され、充電ボックス１内で充電され、回収扉７より充電済のＩＤタグを回収する。【００１３】図３は、本発明の側面断面図である。上述のキャパシタだけでは、結局放電してしまうので、この問題を充電ボックス１と充電ボックス１内における充電機能を用いて、上述の問題を解決するものである。充電ボックス１には、センサ付きのユーザ扉３を持ち、ここへ使用済みの応答器を投函することにより返却を行なう。このときユーザ扉３の開閉を検知するユーザ開閉センサ４またはその他開閉を検知できる手段を用いて投函された応答器の充電を開始する。また、誘導板２をユーザ扉３の先に設け、充電用スロープ５へ応答器を誘導することを付け加えておく、但しこれに関しても必ずしも方法を限定するものでは無く、誘導を目的としている。【００１４】充電用スロープ５には、例えば、１３．５６ＭＨｚ帯等の周波数帯を用いて応答器の充電を行なう。充電を終えた応答器は充電用スロープより落下し、充電ボックスの下部へ溜まることになる。【００１５】応答器を連続で投函された場合には、ユーザ開閉センサ４が開いたことを感知し、充電を一時中止する。これは、人体への影響を配慮するためのものである。ユーザ扉３の閉状態を検出したら、充電を再開する。【００１６】ここで電磁波結合を用いる１３，５６ＭＨｚ帯を例としてあげたのは、この様な場合に応答器の重なりにも対応しやすいことを考慮したためであり、それは連続投函により充分な充電を行なえず、充電ボックス１下部へ落下した応答器へも充電を可能とするためである。このために、充電用電波放射装置（充電用回路８）は、充電用スロープ５の裏面に取り付けられることが望ましい。【００１７】尚、回収扉７にも回収扉開閉センサ６を実装し、回収時の電波影響を配慮する。それと、充電ボックス１内の内壁にはシールドを施し、不要な電磁放射へ対処することが考えられる。また、連続投函には、落下後の給電以外では充電用スロープを多重構造にすることが考えられる。
【図面の簡単な説明】
【００１８】
【図１】本発明の充電ボックスのユーザ用扉から見た斜視図
【図２】本発明の充電ボックスの回収扉から見た斜視図
【図３】本発明の充電ボックスの側面断面図
【符号の説明】
【００１９】１  充電ボックス
２  誘導板
３  ユーザ用扉
４  ユーザ開閉センサ
５  充電用スロープ
６  回収扉開閉センサ１
７  回収扉
８  充電用回路
【図１】
2006254678.tif 000003
【図２】
2006254678.tif 000004
【図３】
2006254678.tif 000005
(57)【要約】【課題】結婚祝、新築祝、七五三祝、お正月等々の慶事の宴等に食されるに相応しい気品と豪華さの味わいを楽しめる金粉および銀粉入り食品・嗜好品を提供することを目的とする。【解決手段】金粉または銀粉あるいは双方をうどん・そば等の麺類、蒲鉾、干し海苔、佃煮海苔、昆布巻き、茶碗蒸し、豆腐、納豆、餅等の加工食品、お茶、桜茶、紅茶、コーヒー、ココア、ゼリー、ケーキ、菓子パン等の嗜好品に混在させることにより目的を解決する。【特許請求の範囲】
【請求項１】
純度が９０．４３％〜９８．９１％である金粉または純度が１００％である銀粉を、あるいは双方を食材に混在させたことを特徴とする食品及び嗜好品。
【請求項２】
食材がうどん、日本そば、中華麺、パスタ等の生麺類であり、加熱処理、冷凍処理、乾燥処理、酸処理等一種以上の処理を行った請求項１の麺類。
【請求項３】
蒲鉾、昆布巻き、茶碗蒸し、豆腐、納豆、干し海苔、餅、佃煮海苔等が請求項１記載の食品。
【請求項４】
緑茶、昆布茶、桜茶、コーヒー、ココア、紅茶、ウーロン茶等が請求項１記載の嗜好品。
【発明の詳細な説明】
【技術分野】
【０００１】
本発明は、純度が９０．４３％〜９８．９１％である金粉または純度が１００％である銀粉あるいは双方を食材に混入させた麺類、嗜好品およびその他加工食品に関する。
【背景技術】
【０００２】
従来の食材には栄養面・味覚・風味・色相を改善させる為の添加物の混合が見られる。
【０００３】
なお、本発明に関する公知技術として実用新案文献１および２を挙げることができる。
【０００４】
【特許文献１】登録実用新案第３１０３７２６号公報
【特許文献２】実用新案公開平０６−８６４９１号公報
【発明の開示】
【発明が解決しようとする課題】
【０００５】
しかしながら、栄養面や味覚、風味、色相の改善だけでなく、結婚祝、新築祝、七五三祝、お正月等々の慶事の宴等に食されるに相応しい気品と豪華さを併せ持つ食品および嗜好品を提供する。
【課題を解決するための手段】
【０００６】
本発明は、小麦粉（中力粉や薄力粉等）や蕎麦粉等の麺類用粉に金粉または銀粉あるいは双方を混入し適量の水と食塩を加え練り込み製麺されたことを特徴とする麺類にて解決される。
【０００７】
麺類の形態においては生麺、乾麺、茹麺を問わず、うどん、日本そば、中華麺、パスタ等の素麺類である。
【０００８】
食材が鮮魚にあっては魚肉の擂り身に金粉または銀粉あるいは双方を混入し練り込んだ蒲鉾類であることを特徴とする。
【０００９】
食材が昆布巻き、茶碗蒸し、豆腐、納豆、餅、干し海苔、佃煮海苔等の加工食品へ金粉または銀粉あるいは双方を混在させたことを特徴とする。
【００１０】
嗜好品が緑茶、昆布茶、桜茶、コーヒー、ココア、紅茶、ウーロン茶等であるものへ金粉または銀粉あるいは双方を混在させたことを特徴とする。
【発明の効果】
【００１１】
本発明は上記のような解決手段で実施され、以下に記載されるような効果を奏する。
【００１２】
食材にちりばめられた金粉または銀粉の持つ優雅な輝きは結婚祝、新築祝、七五三祝、お正月等々の宴に提供されるに相応しい気品と豪華さを醸成する。
【００１３】
食材中に混合された純金または純銀のエキスがマイナスイオンとして放出され健康効果を発揮する。または「金は菌を制す」といわれるごとく純金は漢方高貴薬として延命長寿の秘訣とされてきた。
【００１４】
銀についても抗菌効果が高く、防腐効果が著しい。また、製菓材料のアラザンや昔ながらの清涼剤である仁丹の表面に使用されている程に安全性の高い金属である。
【００１５】
金および銀は日本国内において食品添加物として認められており、ともに人体にとって極めて安全で有用な金属である。銀イオンは塩化物イオンとして不溶性の塩になるので、胃酸の中の塩酸に触れるとたちどころに不溶のＡｇＣｌ（塩化銀）となり、体外に排出されるので、人体に吸収される心配はない。
Ａｇ＋（銀イオン）＋Ｃｌ−（塩化物イオン）→ＡｇＣｌ（塩化銀）
【発明を実施するための最良の形態】
【００１６】
金粉を混合する場合、合金率が９４．４３％の純金箔四号色（金９４．４３％、銀４．９０％、銅０．６３％）の金箔を５〜７ｍｍ四方以下に破断し混合した時が最上のきらびやかさを発揮し、気品と優雅さに溢れた食品となる。
【００１７】
銀粉を混合する場合は銀１００％の純銀箔を前記の大きさに破断して混合する。
【産業上の利用可能性】
【００１８】
本発明は単純に食材に金粉または銀粉または双方を混合することにより容易に気品と豪華さを表現し、なおかつ健康効果の高い食品としての特性を併せ持つ食品を製品化できる。
(57)【要約】【課題】花粉症や気管支喘息等のアレルギーは、Ｔリンパ球や好酸球を中心とした炎症細胞の鼻や気管支の粘膜への浸潤による慢性炎症性疾患である。そのため、治療の中心はステロイド剤、抗アレルギー剤であり、さらには、炎症細胞が産生するサイトカインの産生抑制剤が用いられる。しかしこれらは対症療法であり、根治的療法ではない。【解決手段】患者の血液よりＣＤ３陽性Ｔリンパ球を分離し、培地中でこのＣＤ３陽性Ｔリンパ球内に、転写因子ＮＦ−ＡＴが結合するＤＮＡ配列ＧＧＡＡＡＡを含むｒｉｂｂｏｎ  ｓｈａｐｅｄ  ｏｌｉｇｏｄｅｏｘｙｎｕｃｌｅｏｔｉｄｅｓ  ｄｅｃｏｙ  ＤＮＡを移入することを特徴とする花粉症、気管支喘息等のアレルギー患者におけるＴｈ２−タイプ  サイトカインの産生を抑制するヒトリンパ球の製造方法。【特許請求の範囲】
【請求項１】
花粉症、気管支喘息等のアレルギー患者の血液よりＣＤ３陽性Ｔリンパ球を分離し、培地中でこのＣＤ３陽性Ｔリンパ球内に、転写因子ＮＦ−ＡＴが結合するＤＮＡ配列ＧＧＡＡＡＡを含むｒｉｂｂｏｎ  ｓｈａｐｅｄ  ｏｌｉｇｏｄｅｏｘｙｎｕｃｌｅｏｔｉｄｅｓ  ｄｅｃｏｙ  ＤＮＡを移入することを特徴とするＴｈ２−タイプ  サイトカインの産生を抑制するヒトリンパ球の製造方法。
【発明の詳細な説明】
【技術分野】
【０００１】
本発明は、花粉症、気管支喘息等のアレルギー患者におけるＴｈ２−タイプ  サイトカインの産生を抑制するヒトリンパ球の製造方法に関する。
【背景技術】
【０００２】
ヒトリンパ球をサイトカインを含有する無血清培地で培養することによって癌細胞に対する傷害活性を高める方法が知られている（例えば、特許文献１参照。）。
【特許文献１】特公平７−１０２１３１号公報
【発明の開示】
【発明が解決しようとする課題】
【０００３】
花粉症、気管支喘息等のアレルギー患者に対する遺伝子治療は、気道局所へ点鼻や吸入等によって遺伝子を移入させてアレルギー反応を抑制しても、遺伝子がＤＮＡ分解酵素により容易に分解されてしまうために遺伝子治療の効果が得られないものであった。
花粉症や気管支喘息等のアレルギーは、Ｔリンパ球や好酸球を中心とした炎症細胞の鼻や気管支の粘膜への浸潤による慢性炎症性疾患である。そのため、治療の中心はステロイド剤、抗アレルギー剤であり、さらには、炎症細胞が産生するサイトカインの産生抑制剤が用いられる。しかしこれらは薬効は１２時間程度であり、満足のいくものではないという問題がある。
【０００４】
本発明は、転写因子ＮＦ−ＡＴによるＴｈ２−タイプ  サイトカインの産生を抑制するヒトリンパ球を製造することを目的とする。
【課題を解決するための手段】
【０００５】
そこで本発明者等は、花粉症や気管支喘息等のアレルギー疾患において、ＩＬ−５、ＩＬ−４、ＩＬ−１３、ＴＮＦ−αといったＴｈ２−タイプ  サイトカインに着目し、これを抑制することにより副作用のない治療が可能であることを突き止めた。
さらに、このＴｈ２−タイプ  サイトカインのメッセンジャーＲＮＡの転写を開始させる転写因子は、ＧＡＴＡ−３やＮＦ−ＡＴ等の転写因子の中のＮＦ−ＡＴであることを突き止めた。
【０００６】
また、この転写因子ＮＦ−ＡＴがＤＮＡに結合する塩基配列部分を有するＤＮＡオリゴプローブを、Ｔリンパ球内に移入することにより、核内外のＮＦ−ＡＴを結合捕捉し、これによってこのＴリンパ球のＤＮＡ上に存在するプロモータ部とＮＦ−ＡＴとの結合を阻害し、Ｔｈ２−タイプ  サイトカインのメッセンジャーＲＮＡの転写を抑制しうると推測した。
【０００７】
そこで、本発明は、花粉症や気管支喘息等のアレルギー患者から採取した感作リンパ球であるＣＤ３陽性Ｔリンパ球を分離し、培地中でこのＣＤ３陽性Ｔリンパ球内に、転写因子ＮＦ−ＡＴと結合するＤＮＡ配列ＧＧＡＡＡＡを含むｒｉｂｂｏｎ  ｓｈａｐｅｄ  ｏｌｉｇｏｄｅｏｘｙｎｕｃｌｅｏｔｉｄｅｓ  ｄｅｃｏｙ  ＤＮＡを移入することを特徴とする。
【発明の効果】
【０００８】
本発明は、このヒトリンパ球を患者に戻すことによってアレルゲンに感作されたリンパ球は２度目以降のアレルゲン暴露により速やかに局所に集積するというリンパ球の特性を利用してＴｈ２−タイプ  サイトカインの産生を長期にわたって抑制して症状の発生をなくすことができることになる。
【発明を実施するための最良の形態】
【０００９】
本発明の実施例を説明する。
本実施例では花粉症患者の例で説明するが、アトピー性気管支喘息等のアレルギー患者においても同様である。
花粉患者の静脈より５０ｍｌ全血採取し、ＣＤ３陽性Ｔリンパ球を分離する。
このＣＤ３陽性Ｔリンパ球をＲＰＭＩ１６４０培地で満たされた培養皿内に播種し、予め作成してある転写因子ＮＦ−ＡＴが結合するＤＮＡ配列ＧＧＡＡＡＡを含むｒｉｂｂｏｎ  ｓｈａｐｅｄ  ｏｌｉｇｏｄｅｏｘｙｎｕｃｌｅｏｔｉｄｅｓ  ｄｅｃｏｙ  ＤＮＡを、Ｏｌｉｇｏｆｅｃｔａｍｉｎｅ  Ｒｅａｇｅｎｔ（Ｉｎｖｉｔｒｏｇｅｎ社登録商標）等のいわゆるｔｒａｎｓｆｅｃｔｉｏｎツールを用いて３７°Ｃ、５％ＣＯ２の条件下で上記ＣＤ３陽性Ｔリンパ球内に６時間かけて移入してＴｈ２−タイプ  サイトカインの産生を抑制するヒトリンパ球とした。
【００１０】
移入後、このＣＤ３陽性Ｔリンパ球を、Ｄｕｌｂｅｃｃｏ'ｓ  Ｐｈｏｓｐｈａｔｅ  Ｂｕｆｆｅｒｅｄ  Ｓａｌｉｎｅ（ＧＩＢＣＯ社製）で洗浄した。
このヒトリンパ球を前に採血した患者の静脈内へ約５０ｍｌの生理食塩水と共に注射して戻す。
これによって、抗原に感作されたリンパ球は２度目以降の抗原暴露により速やかに集積するリンパ球の性質によって患部に集積させることができ、長期にわたって効果的でしかも安定的に治療を行うことができる。
よって、上記した推測の如く、この転写因子ＮＦ−ＡＴがＤＮＡに結合する塩基配列部分を有するＤＮＡオリゴプローブを、患者から採取したＣＤ３陽性Ｔリンパ球内に移入することにより、核内外のＮＦ−ＡＴを結合捕捉し、これによってこのＣＤ３陽性Ｔリンパ球のＤＮＡ上に存在するプロモータ部とＮＦ−ＡＴとの結合を阻害し、Ｔｈ２−タイプ  サイトカインのメッセンジャーＲＮＡの転写を抑制することを確認した。
【００１１】
以上説明した如く、（１）リンパ球のなかのＣＤ３陽性Ｔリンパ球と確定し、（２）転写因子をＮＦ−ＡＴと確定し、（３）ｒｉｂｂｏｎ  ｓｈａｐｅｄ  ｏｌｉｇｏｄｅｏｘｙｎｕｃｌｅｏｔｉｄｅｓ  ｄｅｃｏｙ  ＤＮＡをＤＮＡ配列ＧＧＡＡＡＡを含むｒｉｂｂｏｎ  ｓｈａｐｅｄ  ｏｌｉｇｏｄｅｏｘｙｎｕｃｌｅｏｔｉｄｅｓ  ｄｅｃｏｙ  ＤＮＡに確定するというこれら３つの要素を確定すると共にそれらの要素の組合せを決定したことによって、花粉症や気管支喘息等のアレルギー疾患の遺伝子治療を可能にした。
(57)【要約】【課題】これまでデジタルカメラで撮影した写真を見るには、面倒な操作が必要なパソコンか時間と費用がかかるプリント写真にするかしかありませんでした。本装置は撮影後直ちに、簡単な操作で室内・野外を問わず写真を楽しめるものです。【解決手段】本装置は家庭用電源７あるいはバッテリー６を電源とし、デジタルカメラで撮影したメモリーカードを装着する５ことによりメモリーカード内の写真を、簡単なボタン２（またはリモコン）操作で液晶画面に表示させるものです。そして形状が額縁様式であることから、金具３で部屋の壁に掛けたり、支えのスタンド４で机などの上に置いたり、また防水を施すことにより浴室でも使用可能です。日常生活の楽しみの幅を大きく広げるものであります。【選択図】図２
2006254393.tif 000002
【特許請求の範囲】
よく部屋に写真を入れた額を飾ったりしますが、本装置も額の形状をしており、デジタルカメラで撮影した写真を液晶画面に表示させることができ、額と同じように壁に飾ることも、また机の上などにおくことも出来る装置です。
家庭用電源およびバッテリーを電源として、デジタルカメラで撮影したメモリーカードを本体に装着してメモリーカード内の写真を、液晶画面に表示させるものです。
パソコンのような複雑な操作は必要なく、所定のボタン（またはリモコン）を押していくだけで、次々と写真を表示でき、好みの写真を選択できます。
機戒が苦手のお年寄りや子供でも取り扱いできます。
また防水することにより浴室でも使用でき、自分で写した写真を見ながら健康にもよいとされる半身浴も楽しめます。
このように、本装置は今までにない物であり、日常生活の楽しみを広げることができるものと確信しております。
【発明の詳細な説明】
【０００１】この装置は写真を入れて飾る額縁のように、デジタルカメラで写した写真を装置の液晶画面に表示させて、壁に掛けたり、机の上に置いたり、また防水を施して浴室内でも、さらに野外でも使用できるようにしたもので、自分で撮影したデジタル写真の楽しみ方を広げるものです。
【背景技術】
【０００２】デジタルカメラで撮影した写真をこの装置のように額縁様式で表示できる物はなかった。
【発明の開示】
【発明が解決しようとする課題】
【０００３】これまでデジタルカメラで撮影した写真を見るには、パソコンかプリント写真にするしかありませんでした。
パソコンでは所定の操作が必要で、また浴室には持ち込めません。
プリント写真は、写真屋に持っていかねばならず、時間もかかります。
本装置は、これらの課題を解決するためのものです。
【課題を解決するための手段】
【０００４】本装置は、家庭用電源およびバッテリーを電源として、装置にデジタルカメラで撮影したメモリーカードを装着して電源を入れるだけで写真を表示でき、メモリーカード内の好きな写真を所定のボタン２（またはリモコン）を押していくだけで選択表示でき、極めて簡単に取り扱いできるようにしました。
【発明の効果】
【０００５】本装置は、デジタルカメラで撮影した写真を手軽に楽しめるものです。
形状が額縁様であることから、部屋の壁や机の上などの飾りとして、また防水を施して今人気の浴室で半身浴のグッズとして利用出来るなど生活の楽しみを広げるものであります。
【実施例】
【０００６】本装置は図面にありますように額縁様の形状をしており、金具３で壁にかけることも、スタンド４で支えて机等の上に置くことも出来ます。
家庭用電源７及びバッテリー６を電源にしており野外でも使用可能です。
デジタルカメラで撮影したメモリーカードを装着する事５で、その情報を取り込み液晶画面に表示します。
操作は簡単で、電源１をまず入れ所定のボタン２（またはリモコン）を押すことで次々とメモリーカード内の写真が表示されるもので誰でも扱えるものです。
本体に防水を施すことで浴室でも使用でき、自分で撮影した写真を簡単に、十二分に利用出来るものです。
【図面の簡単な説明】
【０００７】
【図１】本装置の正面図である。
【図２】本装置の斜視図である。
【図３】本装置の裏面図である。
【符号の説明】
１  電源ボタン
２  写真表示ボタン
３  壁掛け金具
４  支え用スタンド
５  メモリーカード挿入口
６  バッテリー
７  電源ケーブル接続口
【図１】
2006254393.tif 000003
【図２】
2006254393.tif 000004
【図３】
2006254393.tif 000005
(57)【要約】【課題】  従来のインターホンではアナログの通信方法または独自の方法を採用しているため、建物の中ないしは半径１００メートル以内の無線といった限定的な使い方しかできなかった。しかしインターネットプロトコルとインターネット回線を利用することで各種汎用品と連携して、新式のインターホンシステムを構築することができる。そこで本発明は、インターネット回線を利用した、インターホン用インターネット端末を構築することを課題とする。【解決手段】  本発明のインターネットプロトコルを利用したインターネット式インターホンで、インターホン専用回線は不要になり、既存の電話回線（銅線）やケーブルテレビ回線、インターネット光ケーブル、無線ＬＡＮ、また携帯電話などを活用したインターホンを容易に構築できるようにする。そしてインターネットに相互接続することにより、いままで不可能であった遠隔地でのインターホン受けを実現する。【選択図】図１
2006254394.tif 000002
【特許請求の範囲】
【請求項１】
インターネットに接続されたインターホン端末で、特定の携帯電話およびインターネット端末と音声・映像・文字データを相互に交信するＩＰ通信装置。
【請求項２】
部屋番号や名前などを入力することにより、指定された携帯電話、または特定のインターネット端末と交信することが可能なＩＰ通信装置。
【請求項３】
特定の携帯電話およびインターネット端末から、鍵などの開閉をコントロールする装置。
【発明の詳細な説明】
【技術分野】
【０００１】  この発明は、インターネット回線を利用したインターホンに関する。
【背景技術】
【０００２】  従来のインターホン技術では無線技術で屋内配線が不要なものもあるが、トランシーバと同じ原理なため、各種汎用品と連携することができない。また携帯電話などと相互接続する手立てもないため、内線電話の概念を超える動作はできない。
【発明の開示】
【発明が解決しようとする課題】
【０００３】本発明は、インターネット回線（ＩＰ）を利用した、インターホン用インターネット端末を構築することを課題とする。
【課題を解決するための手段】
【０００４】  以上の課題を解決するために、第一発明は、インターホン端末をインターネット回線に繋いだ端末で実現する。そしてその端末から特定のインターネット端末（携帯電話やパソコンなど）に信号が発せられ、各種データ交信を開始することが可能。第二発明は、利用者が部屋番号（内線番号）や名前を入力するだけで発信できるようにするためのもので、電話番号やＩＰアドレスを入力することなく特定の端末に発信するための仕組み。第三発明は、集合住宅などエントランスゲートの鍵の開閉を、上記装置と連動して動作可能にするための発明。
【発明の効果】
【０００５】  第一発明、第二発明、第三発明によれば、従来のインターホン（または内線電話）で必要だった専用線の屋内配線工事をインターネット配線（有線・無線問わず）に収束できる利点がある。また、インターネット経由にすることで、訪問者とのやり取りを外出先の携帯電話などで行うことが可能になり、不在中でも訪問者とコミュニケーションできるようになる。
【発明を実施するための最良の形態】
【０００６】  この発明の一実施形態を、図１に示す。
訪問者は玄関に設置されたインターネット式インターホンで部屋番号（または内線）を押すと、予め指定された専用端末やパソコン、携帯電話などのインターネット端末を自動的に呼び出す。受け手は送られてきた映像を見て、在宅中や外出中にかかわらず訪問者を確認することができる。必要に応じて受け手は訪問者と各種データを送受信し、必要があればエントランスゲートの鍵を開けたり宅配用のロッカーキーを開けたりできる。【０００７】「実施形態の効果」
この実施形態によれば、既存のインターホン（ないしは内線）では逃していた訪問客と対話を可能にする。また訪問者に在宅中か外出中かを悟られず、防犯効果も飛躍的に向上させるので、既存のインターホンの欠点を解消することができる。
【産業上の利用可能性】
【０００８】  既存のインターホンでは専用の屋内配線を必要とし、また耐用年数の問題からもインターネットを利用することで大幅なコスト削減を消費者にもたらす。そればかりかインターネットプロトコルを用いることで今後あらたな発明がなされ、インターホン用に各種サービスを生み出す事になり、生産者においては新たなビジネスチャンス、利用者にとってはさらなる利便性をもたらすことになる。
【図面の簡単な説明】
【０００９】
【図１】  この発明の一実施形態を示す概念図である。
【符号の説明】
【００１０】（１）は、インターネットを利用したインターホン全体図。
（２）は、訪問者が玄関に設置された呼び鈴ネット端末。
（３）は、インターネット回線に訪問者データを送る図。
（４）は、（３）で受け取った情報を処理するサーバの図。
（５）は、各種端末の呼び出し行う図。
（６）は、相互接続が完了し各種データを送受信。
（７）は、（６）のデータの一種で鍵の開閉を指示するデータ。
【図１】
2006254394.tif 000003
(57)【要約】      （修正有）【課題】テレビの役割が一元化してしまうという不都合を解決すること。【解決手段】テレビの機能と電話回線を工夫することで、多機能テレビにすることにより、この課題を解決する。【選択図】なし【特許請求の範囲】
【請求項１】
一台で、テレビ・ビデオ・オーディオ・電話・インターネットを合わせ持つようにしたことを特徴とする機種のテレビ。
【発明の詳細な説明】
【技術分野】
【０００１】    本発明は、テレビに関するものであり、テレビとインターネットを同じ画面で見るようにし、さらに、ビデオ・ＤＶＤや、オーディオであるＣＤ・カセットテープ・ＭＤや、電話を一体化させる事によって、一台で、多機能を合わせ持つようにしたものです。
【背景技術】
【０００２】従来から、娯楽や知識、通信手段等として、テレビ・インターネット・オーディオ・電話として利用されている。この例として、特許文献１や非特許文献１に開示されているものがある。
【特許文献１】私は存じません。
【非特許文献１】私は存じません。
【発明の開示】
【発明が解決しようとする課題】
【０００３】  しかし、従来のような機能のテレビ・ビデオ・オーディオ・インターネット・電話では、別々な為場所をとったり、コードを増やしてしまい狭い家では非常に不便です。本発明は、このような、テレビ・ビデオ・オーディオ・インターネット・電話が別々に置かれ、場所をとってしまうという不都合を解決することを課題とします。
【課題を解決するための手段】
【０００４】    この課題を解決するための請求項１の発明は、テレビの機能をさらに充実させるために、ビデオ・インターネット・オーディオ・電話を一体化することで、場所をとったり、コードを増やすことを防止できます。
【発明効果】
【０００５】    本発明により、テレビ・ビデオ・インターネット・オーディオ・電話によって、場所をとってしまったり、コードが増えたりしてしまう不都合はおきず、家族の団らんにも巾が広がります。
【発明を実施するための形態】
【０００６】    テレビの機能に、ビデオ・インターネット・オーディオ・電話の機能が一体化することを特徴とする、新型テレビです。薄型にすることによっても場所をとることを防止することができます。
【０００７】    これらのテレビの材料は、通常のものでよい。また、テレビの柄をアナログやデジタルにしてもよい。
【産業上の利用可能性】
【０００８】    本発明に係るテレビは、工業的に量産することが可能であるため、産業上の利用可能性を有する。